(57)【要約】  【課題】スライドファスナー、面ファスナー、ストラップなどに用いるテープに温度の変化によって色調が変る絵柄を設けた感温変色部材付きテープを提供する。  【解決手段】感温変色部材付きテープは、スライドファスナーのテープ、面ファスナーなどの各種のテープ１に絵柄２と非絵柄３とを設け、この絵柄２と非絵柄３とは色調を異にし、このテープ１の表面へ温度が低いときは着色状態であり、温度が上ると透明状態になる感温変色色素を含む変色層を具備した感温変色部材４から形成したフィルム５を、絵柄２と非絵柄３とを被覆する形態で接着または貼着する。このテープ１は温度が上ると透明状態になる感温変色部材４を透過して、テープ１上に描出した絵柄２が可視できる、美しいカラフルなテープが得られる。  【選択図】図１
2007307245.tif 000002
【特許請求の範囲】
【請求項１】
テープ１に絵柄２を設け、該絵柄２を被覆する形態で温度変化によって着色状態と透明状態とに変化する感温変色部材４を被着し、透明状態時に感温変色部材４を透過して絵柄２が可視可能に形成してなることを特徴とする感温変色部材付きテープ。
【請求項２】
絵柄２を温度変化によって透明状態と着色状態とに変化する感温変色部材４から形成し、該絵柄２をテープ１に添着し、着色状態時に絵柄２が可視可能に形成してなることを特徴とする感温変色部材付きテープ。
【請求項３】
温度の変化によって着色状態に変化を来たす感温変色部材４から絵柄２を形成し、温度の変化後の着色状態において絵柄２とテープ１とが識別可能に形成してなることを特徴とする感温変色部材付きテープ。
【請求項４】
感温変色部材４は、合成樹脂製のフィルム５から形成し、テープ１に対面して接着または貼着してなる請求項１または２記載の感温変色部材付きテープ。
【請求項５】
感温変色部材４は、テープ１に存在する絵柄２と絵柄２が存在しない非絵柄３部分との双方を被覆し、絵柄２と非絵柄３部分とは異なる色調を有し、感温変色部材４が着色状態時における色調は、絵柄２の色調または非絵柄３部分の色調と同一色調または近似色調から形成してなる請求項１記載の感温変色部材付きテープ。
【発明の詳細な説明】
【技術分野】
【０００１】
この発明は、各種のテープ、例えばスライドファスナーのテープ、面ファスナーの裏面、スナップファスナーのテープ、ベルト、ストラップなどのテープに描出した絵柄、この絵柄を被覆する合成樹脂製のフィルムまたはチューブが温度の変化によって色調が変化する感温変色部材付きテープに関するものである。
【背景技術】
【０００２】
従来、合成樹脂製のファスナーエレメント、上下止具、開離嵌挿具、スライダー、引手等のスライドファスナーの構成部品に感温変色色素を含有する材料を用いて射出成形または押出成形によって形成し、これらの部品が温度の変化によって色調が変化するスライドファスナー用構成部品が、図１４に示すように知られている。
【特許文献１】特開平１−２１６８２５号公報
【発明の開示】
【発明が解決しようとする課題】
【０００３】
前項で述べた図１４に示すスライドファスナー用構成部品は、ファスナーエレメントをはじめ、上下止具、開離嵌挿具、スライダー、引手を感温変色色素を含有する合成樹脂を用いて射出成形または押出成形加工手段によって形成し、温度の変化によって、これらの部品の色調を変化させるものである。従ってスライドファスナー用構成部品であるファスナーテープに設けた絵柄の色調を、温度の変化によって変化させるものではない。
【０００４】
この発明は、上述の点を考慮して発明されたものであり、この発明のうち請求項１、２および３記載の発明は、スライドファスナーのテープ、面ファスナーの裏面、スナップファスナーのテープ、ベルト、ストラップなどのテープに描出した絵柄が温度の変化によって、可視できる状態と可視できない状態とに変化、または色調が変化し、従来品になかった装飾的に優れたカラフルなテープを確保する感温変色部材付きテープを提供することが主たる目的である。
【０００５】
請求項４記載の発明は、請求項１または２記載の発明の目的に加え、テープに描出された絵柄が可視できる状態と可視できない状態とに変化、または色調を変化させるために用いられる素材の形態を特定し、絵柄を安定した状態で保持できる感温変色部材付きテープを提供することが目的である。
【０００６】
請求項５記載の発明は、請求項１記載の発明の目的に加え、テープに描出された絵柄部分と絵柄以外の非絵柄部分との色調を特定し、かつ着色状態のとき絵柄部分と非絵柄部分における色調を特定し、カラフルな絵柄を現出できる感温変色部材付きテープを提供することが目的である。
【課題を解決するための手段】
【０００７】
前記の目的を達成するため、この発明のうち請求項１記載の発明は、感温変色部材付きテープは、各種のテープ１に絵柄２を設け、この絵柄２を被覆する形態で、温度の変化に伴って着色状態と透明状態とに変化する感温変色部材４を取り付け、この感温変色部材４が透明状態のとき、感温変色部材４を透過してテープ１に描出した絵柄２が見えるように形成した感温変色部材付きテープを主な構成とするものである。
【０００８】
請求項２記載の発明は、テープ１に描出する絵柄２自体が温度の変化に伴って透明状態と着色状態とに変化する感温変色部材４から形成し、この絵柄２を各種のテープ１に添着し、感温変色部材４が着色状態のとき絵柄２が見えるように形成した感温変色部材付きテープを主な構成とするものである。
【０００９】
請求項３記載の発明は、テープ１に設ける絵柄２は、温度の変化によって着色状態に変化を来たす感温変色部材４から形成し、温度が変化した後の着色状態において、テープ１に設けた絵柄２と非絵柄３とを識別できるように形成した感温変色部材付きテープを主な構成とするものである。
【００１０】
請求項４記載の発明は、請求項１または２記載の発明の構成に加え、感温変色部材４は、合成樹脂から成形したフィルム５から形成し、このフィルム５を各種のテープ１の対向面に接着または貼着した感温変色部材付きテープである。
【００１１】
請求項５記載の発明は、請求項１記載の発明の構成に加え、感温変色部材４は、各種のテープ１に描出された絵柄２と、絵柄２の存在しない非絵柄３とは異なる色調に形成し、感温変色部材４が着色状態のときの色調は、絵柄２の色調または非絵柄３部分の色調と同一の色調または近似する色調に形成した感温変色部材付きテープである。
【発明の効果】
【００１２】
この出願の発明の効果として、請求項１記載の発明は、テープに絵柄を設け、該絵柄を被覆する形態で温度変化によって着色状態と透明状態とに変化する感温変色部材を被着し、透明状態時に感温変色部材を透過して絵柄が可視可能に形成したことによって、下記の効果を奏する。
【００１３】
各種のテープ、例えばファスナーテープ、面ファスナーの裏面、スナップファスナーのテープ、ベルト、ストラップなどに描出した絵柄が温度の変化に伴い容易に色調が変化する感温変色部材付きテープであり、特にテープを被覆した感温変色部材が透明に変化したとき、この感温変色部材を通して内部の絵柄が透視できる美しいカラフルなテープが実現できる効果がある。
【００１４】
請求項２記載の発明は、絵柄を温度変化によって透明状態と着色状態とに変化する感温変色部材から形成し、該絵柄をテープに添着し、着色状態時に絵柄が可視可能に形成したことによって、各種のテープに設ける絵柄を温度変化によって色調が変化する感温変色部材から、直接切り抜いて形成するので、絵柄の作製がきわめて簡単に行うことができ、美しいカラフルなテープが実現できる効果がある。
【００１５】
請求項３記載の発明は、温度の変化によって着色状態に変化を来たす感温変色部材から絵柄を形成し、温度の変化後の着色状態において絵柄とテープとが識別可能に形成したことによって、各種のテープに設ける絵柄を温度の変化によって着色状態に変化を来たす感温変色部材から形成しているので、感温変色部材が、たとえ温度変化前は絵柄と非絵柄とが識別が困難であったとしても、温度変化後においては絵柄と非絵柄とを鮮明に識別することができ、美しいカラフルなテープが実現できる効果がある。
【００１６】
請求項４記載の発明は、請求項１または２記載の発明の効果に加え、感温変色部材は、合成樹脂製のフィルムから形成し、テープに対面して接着または貼着したことによって、感温変色部材が合成樹脂製のフィルムから形成するので、作製がきわめて容易であり、しかも各種のテープに接着または貼着するので、安定した状態で感温変色部材をテープに固定できる効果がある。
【００１７】
請求項５記載の発明は、請求項１記載の発明の効果に加え、感温変色部材は、テープに存在する絵柄と絵柄が存在しない非絵柄部分との双方を被覆し、絵柄と非絵柄部分とは異なる色調を有し、感温変色部材が着色状態時における色調は、絵柄の色調または非絵柄部分の色調と同一色調または近似色調から形成したことによって、絵柄部分と非絵柄部分とは異なる色調であり、この双方を感温変色部材で被覆するので、表面が平坦で美しく仕上げることができ、かつ絵柄部分と非絵柄部分とが感温変色部材が透明状態のときは、絵柄が鮮明に現出させ、着色状態のときは絵柄部分と非絵柄部分とは区別できない状態で、変化のあるテープに仕上げることができる効果があるなど、この発明が奏する効果はきわめて顕著である。
【発明を実施するための最良の形態】
【００１８】
この発明の感温変色部材付きテープは、図１〜７に示すスライドファスナー１０、図８に示す面ファスナー１８、図９に示すスナップファスナー２１、図１０に示すベルト２６、図１１〜１３に示すストラップ３０の各製品についてのテープ１に温度の変化によって色が変る感温変色部材４からなるフィルム５を被着し、テープ１に描出した絵柄２の色が変化する。ここでは図１〜４に示すテープ１としてスライドファスナー１０のファスナーテープ１２に適用した例について説明する。
【００１９】
この発明の感温変色部材は、従来公知の熱により可逆的に色彩が変化する現象（サーモクロミズム）を具備するものであり、温度が設定温度以上になると色変化が起こり、温度が設定温度よりも下がると元の色に戻る可逆性の感温変色色素を用いて形成すればよい。この発明において好適に用いることができる色素としては、特公昭５１−４４７０６号公報に記載されている電子供与体と電子受容体の有機性化合物中の熱平衡による電子授受機構に基づく感温変色色素が挙げられる。かかる色素は、必須の３成分（ロイコ染料、フェノール化合物、アルコール類）を適宜に組み合わせることで、所望の温度で、希望する色に変色する色素を得ることができる。
【００２０】
感温変色部材を形成する方法としては、アクリル系やウレタン系等の透明樹脂中に感温変色色素を分散させて形成してもよいが、温度変化に対して感度よく変色する部材を得るためには、透明樹脂フィルムの上に、上記した感温変色色素を含む変色層を形成すればよい。具体的な方法は特開平７−１１９０５６号公報に記載の方法に準じて行えばよい。感温変色部材は、色が変化し始める温度を０℃〜６５℃の範囲内で設定し、温度の変化によって、多種の色、例えば黒色、赤色、緑色、黄色、黄緑色、紫色、グレー色、オレンジ色、ピンク色等の有色状態から無色透明な状態に変化し、または前述した色のいずれか一つの有色状態からいずれか他の色の有色状態に変化し、あるいは、色濃度が濃い状態から色濃度が薄い状態、すなわち色濃度が濃い状態と薄い状態とが共に有色状態であっても、色濃度が薄くなることで有色透明な状態に変化するように形成する。また、温度の異なる複数の設定温度を設定し、温度差によって、３種類以上の色に段階的に変化するように形成することもできる。
【００２１】
図１〜４に示すスライドファスナー１０は、ファスナーテープ１２の一側縁の面上に芯紐１４を挿通したコイル状のファスナーエレメント１３列を二重環縫の縫糸１５によって縫着し、左右のファスナーエレメント１３列をスライダー１６によって噛み合せてファスナーチエン１１を形成する。このファスナーチエン１１のファスナーエレメント１３列が存在しないファスナーテープ１２の面上に各種の絵柄２を描出し、絵柄２と絵柄２が存在しない非絵柄３部分との色調を異なる色調に形成する。
【００２２】
ファスナーテープ１２に描出した絵柄２と絵柄２が存在しない非絵柄３部分との全てを被覆する形態で、感温変色部材４からなるフィルム５を図１, ２に示すようにファスナーテープ１２の面上に接着または貼着することによって被着する。
【００２３】
感温変色部材４からなるフィルム５を被着したファスナーテープ１２は、温度が低温な状態の時は、フィルム５は色濃度が濃い着色状態であるため、ファスナーテープ１２に描出した絵柄２は勿論、非絵柄３部分も、図３に示すように透視することができず同一色調の着色状態であり、温度が上昇し設定温度に近づくにつれてフィルム５の着色状態が薄れ透明化するので、図４に示すようにファスナーテープ１２に描出した絵柄２と非絵柄３とがフィルム５を透過して明確に色調が区別することができ、カラフルなファスナーテープ１２を作製することができる。
【実施例１】
【００２４】
図１〜４に示す実施例１の感温変色部材付きテープは、前項で説明したとおりの構成であり、スライドファスナー１０の左右のファスナーテープ１２の裏面側の対向側縁に沿って芯紐１４を挿通したコイル状のファスナーエレメント１３列を二重環縫等の縫糸１５によって縫着し、左右のファスナーエレメント１３列をスライダー１６によって噛み合せてファスナーチエン１１を形成する。このファスナーチエン１１におけるファスナーエレメント１３列が存在しない左右のファスナーテープ１２の表面側にわたって印刷、刺しゅう、ジャガード織り等によって絵柄２を描出し、絵柄２と絵柄２が存在しない非絵柄３部分との色調を異にする色調に形成する。なお、本実施例では絵柄２を文字としているが、この他に、数字、図形、模様等にしてもよい。
【００２５】
左右のファスナーテープ１２に描出した絵柄２と、絵柄２が存在しない非絵柄３部分との全てを被覆する形態で感温変色部材４から形成した左右一対のフィルム５で被着する。この感温変色部材４は前述のとおり、ポリウレタン等の透明樹脂フィルム５上に感温変色色素を含む変色層を形成し、設定温度よりも低温の時は着色状態であり、設定温度以上の高温の時に色がなくなる透明状態となるように設定し、温度の変化によって色が変るように形成する。好適には感温変色部材４が変色し始める温度を３０℃〜３５℃に設定し、感温変色部材４を人体に身に付ける物品に装着させた場合に、体温の上昇とともに色が変化するようにする。このフィルム５を接着剤または超音波加工等によって左右のファスナーテープ１２の表面上に接着または貼着することによって被着する。
【００２６】
感温変色部材４は、通常は着色状態にあり、感温変色部材４を透過してファスナーテープ１２に描出した絵柄２は勿論、ファスナーテープ１２の色も可視することはできない。温度が上昇することにより、着色状態から次第に設定温度に近づくにつれ色が薄くなり、設定温度で透明となり、左右のファスナーテープ１２に描出した絵柄２と非絵柄３とが感温変色部材４を透過して可視することができる。なお、絵柄２または非絵柄３部分の色調と、着色状態の感温変色部材４の色調とを同一色調または近似する色調とすることにより、感温変色部材４が無色透明状態となった時に、絵柄２または非絵柄３部分が、その周囲の色調から浮かび上がってきたような視覚効果を与えることができる。
【００２７】
なお感温変色部材４についての設定温度を感温変色色素の含有量を変えることにより変更することができる。また感温変色部材４が通常の低温時において透明状態に形成し、設定温度に近づくにつれて着色状態になる形態に形成することもできる。また、感温変色部材４が色濃度の濃い有色状態から色濃度の薄い有色な透明状態へと変化、例えば、濃い赤色から薄いピンク色へ変化するように形成し、有色透明状態の感温変色部材４を透過して絵柄２を可視できるようにすることもできる。
【００２８】
図５に示す実施例１の変形例１は、ファスナーテープ１２の表面側一側縁に沿って膨大部１７を形成し、この膨大部１７に単一タイプのファスナーエレメント１３を合成樹脂を用いて射出成形または押出成形したスライドファスナー１０である。このスライドファスナー１０は左右のファスナーテープ１２の表面の中央長手方向に点在する星形の絵柄２を描出し、この絵柄２と、絵柄２の周囲近傍に点在する非絵柄３部分とを被覆する形でファスナーテープ１２よりも細い細幅状の感温変色部材４のフィルム５を接着または貼着したものである。感温変色部材４は、着色状態でファスナーテープ１２の色調と同一色調または近似する色調であり、絵柄２は、ファスナーテープ１２および着色状態の感温変色部材４とは異なる色調で描出する。この形態に形成することにより、感温変色部材４が着色状態の時は、感温変色部材４を透過して絵柄を可視することができず、スライドファスナー１０はファスナーテープ１２と感温変色部材の色調により単一色調に統一されている。感温変色部材４が着色状態から無色透明状態へと変化すると、感温変色部材４を透過して絵柄２を可視することができる。このとき、非絵柄３部分をファスナーテープ１２と同色調とすることで、感温変色部材４が無色透明状態となった時に、ファスナーテープ１２の表面が、非絵柄３部分を含むファスナーテープ１２の色調と、絵柄２の色調との２色調に区別される。また、非絵柄３部分をファスナーテープ１２および絵柄２の色調と異なる色調とすることで、感温変色部材４が無色透明状態となった時、ファスナーテープ１２の表面に３色調が現れるようにすることもできる。
【００２９】
図６に示す実施例１の変形例２は、前例と同様でファスナーテープ１２の表面側一側縁に沿って膨大部１７を形成し、この膨大部１７に単一タイプのファスナーエレメント１３を合成樹脂を用いて射出成形または押出成形したスライドファスナー１０である。このスライドファスナー１０は左右のファスナーテープ１２の長手方向に花びら形の絵柄２が点在する形で描出し、この絵柄２のみを被覆する形で、絵柄２と同一形状または絵柄２よりやや大きな形状の感温変色部材４のフィルム５を形成し、このフィルム５を絵柄２の表面へ接着または貼着して被覆するものである。
【００３０】
この形態に形成することにより、左右のファスナーテープ１２には絵柄２と非絵柄３とが形成され、絵柄２が感温変色部材４のフィルム５を被着しているので、温度の変化によってファスナーテープ１２の面上に描出した絵柄２を、絵柄２の表面に接着または貼着したフィルム５を透過して可視することができる。
【００３１】
図７に示す実施例１の変形例３は、前例と同様でファスナーテープ１２の一側縁に膨大部１７を形成し、この膨大部１７に単一タイプのファスナーエレメント１３を合成樹脂を用いて射出成形または押出成形したスライドファスナー１０である。このスライドファスナー１０は、左右のファスナーテープ１２は無地から形成し、花びら形の感温変色部材４のフィルム５を形成し、このフィルム５を絵柄２として表すため、左右の無地のファスナーテープ１２の表面へ接着または貼着して絵柄２を形成する。絵柄２の形状は花びら形に限定されず、星形や矢印形など各種形状にすることができる。
【００３２】
この形態に形成することにより、左右のファスナーテープ１２には絵柄２と非絵柄３とが形成され、絵柄２が感温変色部材４のフィルム５から形成しているので、温度の変化によってファスナーテープ１２の面上に形成した絵柄２の色調の変化を容易に行なう。この感温変色部材４は、温度が低いと着色状態となってファスナーテープ１２上に絵柄２の色調を現出させ、温度が上昇して設定温度に近づくに従って無色透明状態となって絵柄２の色調を可視できなくすることができる。また、この現象の逆に現出させることも可能である。また、感温変色部材４を異なる色による有色状態から有色状態、例えば、紫色から青色、またはオレンジ色から赤色、あるいは緑色から青色等に変化させることもできる。この場合、色調変化前の感温変色部材４の色調をファスナーテープ１２の色調と同一色調または近似する色調とし、色調変化後の感温変色部材４の色調をファスナーテープ１２の色調と異なる色調とすることで、色調変化前には絵柄を可視することができず、色調変化後に絵柄２を可視することができるようになる。すなわち、色調変化前にはファスナーテープ１２の非絵柄３部分の色調と感温変色部材４の絵柄とを識別することができず、色調変化後に非絵柄３部分と絵柄とを識別することができるものである。また、感温変色部材４を温度差によって３色以上の色調、例えば、緑色から赤色そして黄色、またはグレー色から黄緑色そして黄色へと変化するように形成することもできる。
【実施例２】
【００３３】
図８に示す実施例２の感温変色部材付きテープは、面ファスナー１８に関するものであり、面ファスナー１８における面ファスナーテープ１９の片面にフック状の係合子２０またはループ状の係合子あるいはフック状の係合子とループ状の係合子が混在する形態で係合子２０を植設し、面ファスナーテープ１９の反対面すなわち係合子２０のない面にハート形やスペード形の絵柄２を描出し、かつ絵柄２間に絵柄２が存在しない非絵柄３部分を形成し、その上面全幅にわたって感温変色部材４から形成したフィルム５を接着または貼着し、温度の変化によりフィルム５の色が変る形態に形成したものであり、フィルム５を透過して絵柄２および非絵柄３を可視できるカラフルな面ファスナー１８を作製することができる。なおフィルム５の幅寸法を小さく細幅状に形成し、面ファスナーテープ１９に描出した絵柄２および非絵柄３を部分的に被覆するように形成してもよい。なお、絵柄は円形、三角形、四角形等の単純な形状であってもよい。
【実施例３】
【００３４】
図９に示す実施例３の感温変色部材付きテープは、スナップファスナー２１に関するものであり、スナップファスナー２１はスナップファスナーテープ２２の中央長手方向にスナップファスナー２１の雄形係合部２３の台座２４を取り付け、その両サイドに数字による絵柄２を描出し、かつ絵柄２の間に非絵柄３を形成し、このスナップファスナーテープ２２の両サイドの絵柄２と非絵柄３の上面にわたり感温変色部材４から形成した細幅状のフィルム５を接着または貼着し、温度の変化によりフィルム５の色が変化する形態に形成し、フィルム５を透過して絵柄２および非絵柄３を可視できるカラフルなスナップファスナー２１を作製することができる。なお、スナップファスナーテープの中央長手方向にスナップファスナーの雌形係合部の台座を取り付けたスナップファスナーに適用することもできる。
【実施例４】
【００３５】
図１０に示す実施例４の感温変色部材付きテープは、ベルト２６に関するものであり、ベルト２６は調節ベルトまた肩掛けベルトなどに用いられるものであり、ベルト用テープ２７の表面に文字による絵柄２を描出し、また絵柄２が存在しない非絵柄３を形成し、この絵柄２と非絵柄３部分とを被覆する形態で、ベルト用テープ２７と同幅の大きさの感温変色部材４から形成したフィルム５を接着または貼着し、温度の変化によりフィルム５の色が変化する形態に形成し、フィルム５を透過して絵柄２および非絵柄３を可視できるカラフルなベルト２６を作製することができる。
【実施例５】
【００３６】
図１１，１２に示す実施例５の感温変色部材付きテープは、携帯電話をはじめ携帯品等の携帯用紐に適用したストラップ３０に関するものであり、ストラップ３０の芯材として用いるストラップ用テープ３１の片面または両面に文字による絵柄２を描出し、かつ絵柄２の間に絵柄２が存在しない非絵柄３部分を形成し、このストラップ用テープ３１を挟持する形態で、感温変色部材４から形成したチューブ６で被覆して、チューブ６とストラップ用テープ３１とを接着または貼着し、あるいはストラップ用テープ３１の周囲にチューブ６を射出成形して一体化したストラップ３０を形成する。このストラップ３０は温度の変化によってストラップ３０の色が変化し、内装されたストラップ用テープ３１に描出された絵柄２また非絵柄３がチューブ６を透過して可視できるカラフルなストラップ３０を作製することができる。ストラップはリング状に捲回して連結部３２によって固定し、連結部３２に取り付けられた取付紐３３によって携帯電話等の携帯品に取り付けて使用する。
【００３７】
図１３に示す実施例５の変形例は、ストラップ３０に内装する芯材としてのストラップ用テープ３１と感温変色部材４から形成したチューブ６とを接着または貼着等により一体化することなく、チューブ６内にストラップ用テープ３１を挿入可能な収容空間部３４を設けてもよい。
【産業上の利用可能性】
【００３８】
この発明の感温変色部材付きテープは、スライドファスナーのファスナーテープ、面ファスナー、スナップファスナーを取り付けたスナップファスナーテープ、調節ベルトまた肩掛けベルト、携帯電話などの携帯品の携帯紐等に適用することができ、カラフルなテープ、ベルト、紐等を作製することができる。
【図面の簡単な説明】
【００３９】
【図１】感温変色部材付きテープの実施例１に基づくスライドファスナー斜視図である。
【図２】同上の断面図である。
【図３】同上の温度変化前の作用説明図である。
【図４】同上の温度変化後の作用説明図である。
【図５】同上の変形例１を示すスライドファスナーの斜視図である。
【図６】同上の変形例２を示すスライドファスナーの斜視図である。
【図７】同上の変形例３を示すスライドファスナーの斜視図である。
【図８】感温変色部材付きテープの実施例２に基づく面ファスナーの斜視図である。
【図９】感温変色部材付きテープの実施例３に基づくスナップファスナーの斜視図である。
【図１０】感温変色部材付きテープの実施例４に基づくベルトの斜視図である。
【図１１】感温変色部材付きテープの実施例５に基づくストラップの斜視図である。
【図１２】同上の断面図である。
【図１３】同上の変形例を示すストラップの断面図である。
【図１４】公知のスライドファスナーの平面図である。
【符号の説明】
【００４０】
１      テープ
２      絵柄
３      非絵柄
４      感温変色部材
５      フィルム
６      チューブ
１０    スライドファスナー
１８    面ファスナー
２１    スナップファスナー
２６    ベルト
３０    ストラップ
【図１】
2007307245.tif 000003
【図２】
2007307245.tif 000004
【図３】
2007307245.tif 000005
【図４】
2007307245.tif 000006
【図５】
2007307245.tif 000007
【図６】
2007307245.tif 000008
【図７】
2007307245.tif 000009
【図８】
2007307245.tif 000010
【図９】
2007307245.tif 000011
【図１０】
2007307245.tif 000012
【図１１】
2007307245.tif 000013
【図１２】
2007307245.tif 000014
【図１３】
2007307245.tif 000015
【図１４】
2007307245.tif 000016